Podtech/llm-jp-corpus-v4-ja_patent huggingface dataset:
(57)【要約】【課題】自分の手で力の調整をしながら首を牽引することができる首牽引器を提供する。【解決手段】器具本体（１）の上部にリング及び滑車（２）を設け、そこに牽引ひも持ち手（４）のついた牽引ひも（３）を通し、牽引ひも首支持部（５）に首及び後頭部を引っ掛けたのち、自分の手で牽引ひも持ち手（４）を引っ張ることで力を調整しながら首を牽引することを特徴とする。【選択図】　　図４
2004049824.tif 000002
【特許請求の範囲】
【請求項１】
器具本体（１）の上部にリング及び滑車（２）を設け、そこに手で引っ張りやすいような牽引ひも持ち手（４）のついた牽引ひも（３）を通し、牽引ひも首支持部（５）に首及び後頭部を引っ掛けたのち、自分の手を使い牽引ひも持ち手（４）を引っ張ることで力を調整しながら首を牽引する器具。
【発明の詳細な説明】
【０００１】
【発明の属する技術分野】
この発明は、場所を取らず一人で簡単且つ効率的に首を牽引することができる器具に関するものである。
【０００２】
【従来の技術】
従来大掛かりで高価な機械式の首牽引機が病院や治療院にしかなかった。
【０００３】
【発明が解決しようとする課題】
これには次のような欠点があった。
（イ）機器自体が高価なため一般の人には購入することができない。
（ロ）牽引機が治療院や病院にしかない為、牽引する都度治療費がかかる一方、予約が取れない・営業時間が終わっているなどすぐに治療したい時に治療してもらうことができない。
（ハ）機械式は首を引っ張る力の調整を設定する時その都度ダイヤルをまわさなければならない為、一回横になってから機械の設定をし、それで最適でなければまた起き上がって設定するの繰り返しで自分の首に最適な牽引力を得るまでに手間がかかる。
本発明は、これらの欠点を除く為になされたものである。
【０００４】
【課題を解決するための手段】
器具本体（１）の上部にリング及び滑車（２）を設ける。そこに手で引っ張りやすいような牽引ひも持ち手（４）のついた牽引ひも（３）を通す。牽引ひも首支持部（５）に首及び後頭部を引っ掛けたのち、自分の手を使い牽引ひも持ち手（４）を引っ張ることで首を牽引する。
本発明は、以上のような構成よりなる首牽引器である。
【０００５】
【発明実施の形態】
以下、本発明の実施例について説明する。
（イ）器具本体（１）の上部にリング及び滑車（２）を設ける
（ロ）牽引ひも（３）の両端に手で持ちやすいような牽引ひも持ち手（４）を装着し、牽引ひもの中央部には首及び後頭部を引っ掛ける時食い込んだりして痛くならない為の牽引ひも首支持部（５）をつける。
（ハ）牽引ひも（３）を器具本体（１）の上部に設けたリング及び滑車（２）に通す。
本発明は以上のような構造で、これを使用するときは、まず仰向けに寝て、首及び後頭部を牽引ひも首支持部（５）に引っ掛けたのち、牽引ひも持ち手（４）を斜め下に自分の手で引っ張ると首が斜め上に牽引される。しかも自分の手でひっぱっているので力の調節がしやすい。
【０００６】
【発明の効果】
機器が場所を取らず、なおかつ他人の力を借りず一人で治療することができるので好きな時間に牽引できると同時に、自分に最適な牽引力を調整しながら引っ張る事が可能な為、首を効果的に牽引することができる。
【図面の簡単な説明】
【図１】本発明の器具本体の斜視図である。
【図２】本発明の牽引ひもの斜視図である。
【図３】本発明の器具本体と牽引ひもをセットした時の斜視図である。
【図４】本発明を用いて首を牽引している時の側面図である。
【符号の説明】
１　器具本体
２　リング及び滑車
３　牽引ひも
４　牽引ひも持ち手
５　牽引ひも首支持部
【図１】
2004049824.tif 000003
【図２】
2004049824.tif 000004
【図３】
2004049824.tif 000005
【図４】
2004049824.tif 000006
(57)【要約】〔課題〕　従来の上着かけ用カバンは、上着を振り分けてカバン上にかけていたが、これだと使用人の足に上着があたり生地がいたんだり、無用なしわをつくりやすかった。また金具が多くカバンが重くなり高価なものになっていた。〔解決手段〕　バッグの側面にファスナー、バッグの下部にホックを取り付けることによって上着が使用人の足にあたらず、上着の生地がいたまず、無用なしわが無くなり、軽くて安価なものになっている。【選択図】　　　　図１
2004049860.tif 000002
【特許請求の範囲】
【請求項１】
丸棒（１）をバッグ（２）の上部に通して握り部（３）として、バッグの側面（４）にファスナー（５）を取り付けたバッグである。
【請求項２】
上着をかけるときは、バッグの側面（４）のファスナー（５）を下ろしてバッグ下部のホック（６）を閉じ、上着を開いたファスナーの上にのせる。
【発明の詳細な説明】
【０００１】
〔発明の属する技術分野〕
この発明は、夏季に通勤者・営業員・外出者が上着をかけて持ち運ぶバッグに関するものである。
【０００２】
〔従来の技術〕
従来の上着かけ用カバンは、上着をカバンに対して振り分けて使用していたが、これだと使用人の足に上着が擦れ生地をいためる。また無用なしわもつくりやすい。また各種の金具を使用するため土台になるカバンが重く高価なものになる。
【０００３】
〔発明が解決しようとしている課題〕
しかしながら以上の従来技術によれば、生地のいたみや無用なしわを無くす事ができない。また軽くて安価なバッグも製造できない。そこでこの発明は、上着の生地をいためず、無用なしわをつくらない軽くて安価なバッグを課題とする。
【０００４】
〔課題を解決するための手段〕
丸棒（１）をバッグ（２）の上部に通して握り部（３）として、バッグの側面（４）にファスナー（５）を取り付けたバッグ（２）である。また、上着をかけるときは、バッグの側面（４）のファスナー（５）を下ろしてバッグ下部のホック（６）を閉じ、上着をファスナー（５）の上にのせるバッグ（２）である。
【０００５】
〔発明の実施の形態〕
以下、この発明の実施の形態について説明する。
（イ）　丸棒（１）をバッグ（２）の上部に通して握り部（３）とする。
（ロ）　バッグの側面（４）にファスナー（５）を取り付ける。
（ハ）　バッグ（２）の下部の表面、裏面にホック（６）の雄部、雌部を取り付ける。
本発明は以上のような構造である。これを使用するときは、バッグの側面（４）のファスナー（５）を下ろしバッグ下部のホック（６）を閉じて上着を開いたファスナー（５）の上にのせる。
【０００６】
〔発明の効果〕
以上説明したように、この発明によればバッグの側面にファスナーを取り付けることによって上着の生地をいためることがなくなり、無用なしわも作らない。また金具など部品点数が少ないので軽くて安価なバッグが製作できる。
【図面の簡単な説明】
【図１】本発明の正面図である。
【図２】本発明の上着がのせてある側面図である。
【図３】本発明の物が入れられる状態の正面図である。
【図４】本発明の物が入れられる状態の側面図である。
【符号の説明】
１　丸棒
２　バッグ
３　握り部
４　バッグの側面
５　ファスナー
６　ホック
【図１】
2004049860.tif 000003
【図２】
2004049860.tif 000004
【図３】
2004049860.tif 000005
【図４】
2004049860.tif 000006
(57)【要約】【課題】ストロー付きコップで飲料水を飲む場合、コップを手に取りコップを傾けた状態で、コップ内の飲料水が少量になったとしても飲料水を吸入するストローの先端を少量の飲料水が溜まったコップ内下方の位置に合わせて飲む必要がなく、最後まで飲料水を飲みきる事が容易にできるようにすること。【解決手段】コップ内の飲料水が少量になった時に、コップを手に取り傾けた状態では、重力によってコップ内の飲料水が、コップ内の下方に溜まるのと同様に、ストロー自身の重力によって、常にコップ内の下方に飲料水を吸入するストローの先端が位置するように、ストローの先端を可動するようにする事により解決しようとしている。【選択図】　図１
2004049856.tif 000002
【特許請求の範囲】
【請求項１】
コップ蓋上部にある吸口部が３６０度回転可能な構造になっており、その吸口部に装着されるストローも、吸口部を回転させる事によりコップ内で３６０度回転可能となる事を特徴とするストロー付きコップ。
【請求項２】
吸口部に装着されるストローは、吸口部とストローの連結部からコップ底部へいくにしたがい、中心からコップはし側へと角度をつけて曲げられており、３６０度回転可能な吸口部を回転させれば、コップ内のストローはコップの内側を３６０度回転することができる事を特徴とするストロー付きコップ。
【請求項３】
コップを傾けた状態では、ストロー自身の重力によって、常にコップ内下方に飲料水を吸入するストローの先端が位置する事が可能となる事を特徴とするストロー付きコップ。
【発明の詳細な説明】
【０００１】
【発明の属する技術分野】
本発明は、ストロー付きコップに関するものであり、コップ内の飲料水が少量になり、コップを手に取り、コップを傾けた状態において、飲料水を吸入するストローの先端を、少量の飲料水が溜まった位置に合わせて飲む必要がなく、コップ内の飲料水を最後まで容易に飲みきる事ができるストロー付きコップに関するものである。
【０００２】
【従来の技術】
ストロー付きコップは幼児や老人によく使われているが、従来のストロー付きコップの場合、コップ内に飲料水が多量に残っていれば、問題なく飲料水を飲む事ができるが、コップ内の飲料水が少量になれば、コップを手にとってコップを傾けたとき、コップ内の少量の飲料水は重力によって、コップ内の下方に溜まる、その時、飲料水を吸入するストローの先端が必ずしも少量の飲料水が溜まった、コップ内下方の位置にあるとも限らず、コップ内に飲料水が残っているにもかかわらず、なかなか最後まで飲みきることが出来ない。最後までコップ内の飲料水を飲みきるためには、コップを手にとってコップを傾けたときの状態で、コップ内の下方に溜まった飲料水の位置に、飲料水を吸入するストローの先端を合わせて飲む必要があった。
【０００３】
【発明が解決しようとする課題】
ストロー付きコップで飲料水を飲む場合、コップを手に取りコップを傾けた状態で、コップ内の飲料水が少量になったとしても飲料水を吸入するストローの先端を少量の飲料水が溜まったコップ内下方の位置に合わせて飲む必要がなく、最後まで飲料水を飲みきる事が容易にできる事を課題とする。
【０００４】
【課題を解決するための手段】
前述の課題を解決するために、本発明では、コップ内の飲料水が少量になった時に、コップを手にとり傾けた状態では、重力によってコップ内の飲料水が、コップ内の下方に溜まるのと同様に、ストロー自身の重力によって、常にコップ内の下方に飲料水を吸入するストローの先端が位置するように、ストローの先端を可動する様にすることにより課題を解決しようとしている。
【０００５】
【発明の実施の形態】
図１は本発明の外観図でコップ部分とコップ蓋部分から構成されている。
コップ蓋部分上部の中心には吸口部があり、吸口部とストロー部は着脱自在となっている。コップ蓋上部の吸口部は、３６０度回転可能な構造になっており、その吸口部に装着されるストローも、吸口部を回転させる事によりコップ内で３６０度回転可能となる。
吸口部に装着されるストローは、吸口部とストローの連結部からコップ底部へいくにしたがい、中心からコップのはし側へと角度をつけて曲げられている。
以上のことから、３６０度回転可能な吸口部を回転させれば、コップ内のストローはコップの内側を３６０度回転する事ができる。
【０００６】
コップ内を３６０度回転可能なストローは、コップを手に取りコップを傾けた状態では、ストロー自身の重力によって、常にコップ内下方に飲料水を吸入するストローの先端が位置する事になる。
【０００７】
このストロー付きコップで飲料水を飲む場合、コップ内の飲料水の量にかかわらず、コップを手に取りコップを傾けた状態では、常に、コップ内下方に飲料水を吸入するストローの先端が位置する。このことにより、コップ内の飲料水が少量になっても、コップを手に取り傾けた状態では、コップ内下方に少量の飲料水が溜まるのと同様に、飲料水を吸入するストローの先端もコップ内下方に位置するため、コップ内の飲料水を最後まで容易に飲みきることが可能となる。
【０００８】
【発明の効果】
ストロー付きコップは幼児や老人によく使われているが、コップ内の飲料水が少量になれば、飲料水を吸入するストローの先端の位置によっては、コップ内に、飲料水が残っているにもかかわらず、なかなか最後まで飲みきることが出来なかったが、本発明によるストロー付きコップの場合、コップを手に取り傾ければ、少量の飲料水が溜まるコップ内下方に、飲料水を吸入するストローの先端が位置するため、容易に最後まで、コップ内の飲料水を飲みきることが可能となるので幼児や特に痴呆性老人が使用するのに適している。
【図面の簡単な説明】
【図１】本発明のストロー付きコップの外観図
【図２】飲料水を飲む際、コップを傾けた外観図
【符号の説明】
１　コップ蓋部
２　吸口部
３　コップ部
４　ストロー部
５　吸口部
６　コップ蓋部
７　ストロー部
８　コップ部
９　飲料水を吸入するストローの先端
１０コップ下方に溜まった飲料水
【図１】
2004049856.tif 000003
【図２】
2004049856.tif 000004
(57)【要約】　　　（修正有）【課題】従来の風呂に患者を入れるのは重労働であり、介護人は水に濡れたり、石鹸を使うので滑ったりすれば大変危険である。時間もかかり、患者の負担も重い。座ることは出来るが自分でお風呂に入れない人の為に座ったまま入れるコンパクト風呂を提供する。【解決手段】コンパクトタイプのミニ介護風呂で座ったままで肩からシャワーをかけてお湯を溜めるコンパクト風呂で、短時間で、患者も座ったままで入浴、洗いもでき、介護人も楽で、家庭で手軽にいつでも使用出来る。【選択図】　図１
2004049859.tif 000002
【特許請求の範囲】
【請求項１】
従来の風呂は使わずにコンパクトに設計した風呂
【請求項２】
座ったままで肩からシャワーをかけてお湯を溜める請求項１記載のコンパクト風呂。
【発明の詳細な説明】
【０００１】
【発明の属する技術分野】
座ることは出来るが自分でお風呂に入れない人の為に座ったまま入れるコンパクト風呂。
【０００２】
【従来の技術】
従来の風呂にいすを入れて、湯舟に患者さんを浸からせ、温まったら又出して洗い、又湯舟に浸からすことは大変重労働である。
【０００３】
【発明が解決しようとする課題】
しかしながら患者さんを従来の風呂に入れるのは、介護人の力が必要となる。又、介護人が濡れたり、滑ったりすると大変危険で重労働である。そこでこの発明は、家庭で短時間で座ったまま入浴させることを課題とする。
【０００４】
【課題を解決するための手段】
以上の課題を解決するために、この発明はお湯の容積を少なくすることにより、短時間に楽に入浴することが出来、患者も楽で気軽に使用出来る。
【０００５】
【発明の実施の形態】
この発明の実施形態を図１（展開図）、図２（横図）に示す。
材質は冷めにくい（例えば断熱材の入ったクーラーボックスの様なもの）が望ましい。
【０００６】
「実施形態の効果」
この実施形態によれば従来の風呂に比べて、お湯容積を少なくすることが出来、楽に入浴させることが出来る。
【０００７】
「他の実施形態」
シャワーをかけてお湯を溜めるが、側壁に注湯穴を設け、そこからお湯を入れても良い。
【０００８】
【発明の効果】
以上説明したように、この発明によれば、介護人が患者を入浴させるにあたり、負担を軽減し、患者も楽に入浴できる。
【０００９】
また、患者も楽な姿勢で入浴できる。
【図面の簡単な説明】
【図１】お湯を溜めた状態
【図２】排水して、扉を開け、体を洗って、シャワーをかける時の状態
【図３】展開図
【符号の説明】
▲１▼．本体　　　　　▲２▼．いす　　　　　▲３▼．注水口　　　　▲４▼．排水口１
▲５▼．排水口２　　　▲６▼．安全ベルト　　▲７▼．取手（患者用）
【図１】
2004049859.tif 000003
【図２】
2004049859.tif 000004
【図３】
2004049859.tif 000005
(57)【要約】【課題】汗拭きタオルの形状で首又は腕に巻き、また、ポケットに差し込んで動いているとタオルがずり落ち、また、タオルを結ぶと結び目が大きくなり、そしてタオルの長さが短いため結びにくかった。手で持っていては運動の邪魔になる。【解決手段】本発明は、タオル本体１の両側に同じ位置で同じ数の切り込み口にボタンホールの穴かがり縫い３・６を行った貫通口２・５を設ける。片側の貫通口２又は５の数に合わせ折りたたみ、タオルの短辺の端を丸め、また重ね、反対側の貫通口２又は５に貫通させることで解決する。【選択図】図１
2004049857.tif 000002
【特許請求の範囲】
【請求項１】
タオルの両側に切り込み口を入れ、ボタンホールの穴かがり縫いを行ない、貫通口を設けたことを特徴とする襟巻きタオル。
【請求項２】
タオルの両側に切り込み口を入れ、ボタンホールの穴かがり縫いを行なった貫通口を設け、この貫通口はタオルの両側とも同じ位置で同じ数の貫通口であることを特徴とする請求項１記載の襟巻きタオル。
【発明の詳細な説明】
【０００１】
【発明の属する技術分野】
この発明は、汗拭き、洗顔用タオルの形状に関するものである。
【０００２】
【従来の技術】
従来のタオルの形状は、長方形、正方形の平面である。
【０００３】
【発明が解決しようとする課題】
しかしながら、以上の従来技術によれば、タオルを首又は腕に巻き、ポケットに差し込んで動いているとタオルがずり落ち、また、タオルを結ぶと結び目が大きくなり、そしてタオルの長さが短いため結びにくかった。
そこで、この発明は、タオルを首又は腕に巻いて動いてもタオルがずり落ちず、タオルの結び目を作らなくてもずり落ちないタオルを提供することを課題とする。
【０００４】
【課題を解決するの手段】
以上の課題を解決するために、請求項１の発明は、タオルの両側に切り込み口を入れ、ボタンホールの穴かがり縫いを行ない、貫通口を設けたことを特徴とする襟巻きタオルである。
また、請求項２の発明は、タオルの両側に切り込み口を入れ、ボタンホールの穴かがり縫いを行なった貫通口を設け、この貫通口はタオルの両側とも同じ位置で同じ数の貫通口であることを特徴とする請求項１記載の襟巻きタオルである。
【０００５】
【発明の実施の形態】
この発明の一実施形態を、図１に示す。
タオル本体１は１枚の長方形の平面で布・綿製であり、このタオル本体１を短辺側で三つに折り、三つに折った短辺の中心で両側の位置に、重ね合わせたタオルのすべてに同じ位置で、長辺と平行に貫通した貫通口２・５を設けている。貫通口２・５の長さは、短辺を丸め、また重ねたタオルの端が容易に挿入、貫通できる長さにする。貫通口２・５はタオル本体１に切り込みを入れるため、切り込み口が広がらないようにボタンホールの穴かがり縫い３・６で処理する。貫通口２・５の数はタオルの大きさ、厚みにより増減する。尚、タオル本体１を短辺側で折らない場合は短辺の中心で両側の位置に長辺と平行に貫通した貫通口２・５を設ける。タオル本体１を短辺側で二つに折る場合は、二つに折った短辺の中心で両側の位置に、二つに重ね合わせたタオルのすべてに同じ位置で、長辺と平行に貫通した貫通口２・５を設ける。タオル本体１を短辺側で四つに折る場合は、四つに折った短辺の中心で両側の位置に、四つに重ね合わせたタオルのすべてに同じ位置で、長辺と平行に貫通した貫通口２・５を設ける。
【０００６】
【実施形態の効果】
この実施形態によれば、折りたたむ位置４で折り、タオル本体１を三つに折り重ね合わせたタオルを首又は腕に巻き付け貫通口２に貫通口５側のタオルの端を丸め、また重ね貫通口２に挿入、貫通するとずり落ちない。また、タオルを結ばないのでタオルがぬれていてもすぐに取り外すことができる。したがって、タオルを首又は腕に巻き付けやすい。また、折りたたんだタオルの中に氷を入れて巻くと、腕、足などの簡易アイシングサポーターの役目が出来る。タオルの両側の貫通口２・５に左右の手の指を入れて使用すると、タオルを握ることなく身体を洗えるバリアフリータオルとなる。
【０００７】
【他の実施形態】
図１の実施形態では、タオル本体が１枚の長方形の布・綿製であり、このタオルの両側に同じ位置で長辺と平行に同じ数の貫通口２・５を設けているが、他の実施形態では、正方形、ひし形のタオルにしても良く、貫通口を短辺と平行に設けたものでも良い。
【０００８】
【発明の効果】
以上説明したように、この発明によれば、タオル本体の両側に貫通口を設けたので、運動時に首又は腕に巻いて走ってもずり落ちない。いつでも汗拭きが出来また、引き抜くことで素早く取り外すことができる。氷を入れた袋をタオルに収め貫通し、タオルを絞めることで、腕、足などのアイシングサポートの役目が出来る。また、タオル両側の貫通口に左右の手の指を入れ身体を洗うとタオルを握る必要がないバリアフリータオルとなる
【０００９】
【図面の簡単な説明】
【図１】この発明の一実施形態を示す平面図である。
【図２】この発明のタオルを折りたたんだ側面図である。
【図３】この発明のタオルを首又は、腕に巻く前・後を示した装着図である。
【符号の説明】
１　タオル本体
２　貫通口
３　ボタンホールの穴かがり縫い
４　折りたたむ位置
５　貫通口
６　ボタンホールの穴かがり縫い
【図１】
2004049857.tif 000003
【図２】
2004049857.tif 000004
【図３】
2004049857.tif 000005
(57)【要約】【課題】筋肉トレーニングなどで使われるダンベルの回転式グリップ部分の軸受けを汗などによる腐食や、手からの落下時の衝撃による破損を減らす。【解決手段】ツバ付きのナイロン製カラーを金属性ベアリングの変わりとすることで、潤滑液を必要とせず、単純構造で手からの落下時の衝撃に強くなる。【選択図】図３
2004049854.tif 000002
【特許請求の範囲】
【請求項１】
グリップと軸との間にナイロン製のツバ付きカラーを入れることで、滑りをよくして、潤滑液を必要としない。ツバが付いているので、隣にある部品に傷をつけにくく、磨耗も少なくできる。また、汗などの水分による腐食もなく、一体構造なので、手からの落下時の衝撃にも強い。
【発明の詳細な説明】
【０００１】
【発明の属する技術分野】
本発明は、筋肉トレーニングなどで使用されるダンベルなどのグリップ部分と軸との間にナイロン製のカラーを入れて、滑りを潤滑液の使用がなくても、長期間よい状態に保つものである。カラーにツバが付いているので横にあたる部品などとの磨耗も減らすことが出来る。トレーニング時に手などから伝わる汗の水分や塩分による腐食もない。
【０００２】
【従来の技術】
グリップと軸との滑りを良くするために金属性のベアリングなどを使用していた。
【０００３】
【発明の解決しようとする課題】
筋肉トレーニングなどで使われるダンベルの回転式グリップは、磨耗の少ない滑りを必要とし、手などから落とした時の衝撃、また、汗などの水分による腐食などに耐えなければいけない。本発明は、この課題を解消するためになされたものである。
【００００４】
【課題を解決するための手段】
ナイロン製のツバ付きカラーは、グリップと軸との間に入れることで、潤滑液などを使わなくても長期間、一定の滑り保つことが出来る。
また、一体型の単純構造にすることで、落下時の衝撃による破損を少なくする。また、金属性のベアリングと違い汗などの水分や塩分による腐食がない。
【０００５】
【発明の実施の形態】
以下、本発明の実施の形態について説明する。
（イ）．グリップ用のパイプ３の両側にツバ付きのナイロン製カラー１を差し込
み、軸４を通す。
【０００６】
【発明の効果】
ナイロン製で、汗などの水分、塩分による錆びなどの腐食を減らす。
また、金属性ベアリングに比べて、ナイロン製カラーは、一体型の単純構造で、衝撃にも強い。
【図面の簡単な説明】
【図１】本発明の立体図である。
【図２】ダンベルの全体図である。
【図３】ダンベルの正面の断面図である。
【符号の説明】
１　本発明のナイロン製ツバ付きカラー
２　キノコ型カラー
３　ステンレス製グリップ
４　軸
【図１】
2004049854.tif 000003
【図２】
2004049854.tif 000004
【図３】
2004049854.tif 000005
(57)【要約】【課題】従来、家庭内ではタオルと垢すりの両方を用意して入浴できるよう準備されている。しかしスポーツクラブなど外での入浴時、垢すり用のタオルを持参しない。綿タオルのように、たたむ場合、化繊なのでまとまらないことが多いのである。旅行先きで、旅館からタオルを貰うが垢すりはない。【解決手段】綿タオル長方形の長辺の中央辺に垢すり用として化繊で任意の絵模様を設けた。綿タオルの吸湿性と化繊の垢すり用としての利便性を１本のタオルのなかにまとめた。【選択図】　図１
2004049862.tif 000002
【特許請求の範囲】
【請求項１】
垢すり付浴用綿タオルのおもて面、図１の１を主体とし、長方形の長辺の中央辺に垢すり用として化繊の任意の絵模様２を設け、うら面、図２の３には化繊の任意の絵模様を設けない。
【請求項２】
垢すり付浴用綿タオルのおもて面、図３の４を主体とし長方形の長辺の中央辺に垢すり用として化繊の任意の絵模様５を設けうら面図４の６にも長方形の長辺の中央辺に垢すり用として化繊の任意の絵模様７を設ける。
【発明の詳細な説明】
【０００１】
【発明の属する技術分野】
本発明は垢すり付浴用綿タオルに関するものである。
【０００２】
【従来の技術】
浴用の垢すりとして化繊だけの織り、或るいは綿と化繊を混紡するなどして泡立ちや、水切れを良くし、背中なども洗い易く長めにするなど単体として広く普及している。しかし濡れた身体を拭くのには、別に綿タオルを用意しなければならない。
【０００３】
【発明が解決しようとする課題】
家庭内では浴用の綿タオルと垢すり用の化繊のタオルを用意して使用する。外出先きで使用する時、例えばスポーツクラブなどへは綿タオルと垢すりタオルの両方を持参する。旅行先の旅館から貰うタオルなどに垢すり用のタオルがあれば更によい。
【０００４】
【課題を解決するための手段】
本発明は綿タオルの長方形の長辺中央辺に任意の絵模様をえがいた化繊の垢すり用タオルを設け綿タオルと垢すりタオルの合体タオルとしてひとつにまとめたものである。
【０００５】
【実施例】
本発明の垢すり付浴用綿タオルは、おもて面の綿タオル図１の１に垢すり用として化繊の任意の絵模様２を設け、うら面の図２の３には、なにも設けず顔を洗ったり拭くのに使う。また、おもて面図３の４うら面、図４の６には垢すり用として任意の絵模様を設けた。片面だけの垢すり付タオルと両面に垢すりがついた２様のタオルとなるが目に見えない背中など洗うのには垢すりが両面に設けられたものもよい。好みに応じて選択使用できる。
【０００６】
【発明の効果】
綿タオルの長辺の中央辺にだけ化繊の垢すりを設けたので身体の濡れを拭きとるには充分である。背中を洗う場合、タオルの両端は手でにぎられるので垢すりの部分はタオルの長辺の中心辺にあるだけでよい。綿タオルと化繊の垢すりタオルの２本を用意する必要はなく１本のタオルで足りる。
【図面の簡単な説明】
【図１】本発明に係る垢すり付浴用綿タオルのおもて面に絵模様を設けた図で
ある。
【図２】浴用綿タオルのうら面で絵模様を排除して手を加えない図である。
【図３】垢すり付浴用綿タオルのおもて面に絵模様を設けた図である。
【図４】垢すり付浴用綿タオルのうら面に絵模様を設けた図である。
【符号の説明】
１・・・綿タオル本体
２・・・綿タオルおもて面の任意の絵模様
３・・・綿タオルのうら面
４・・・綿タオルのおもて面
５・・・綿タオルおもて面の任意の絵模様
６・・・綿タオルうら面
７・・・綿タオルうら面の任意の絵模様
【図１】
2004049862.tif 000003
【図２】
2004049862.tif 000004
【図３】
2004049862.tif 000005
【図４】
2004049862.tif 000006
(57)【要約】〔要約書〕〔課題〕飲料水の濃度を下げることなく、冷感を感じ乍ら飲める器具を提供する。〔解決する手段〕保冷用ジエル入容器に、ストローを貫通させストッパーで固定した。【選択図】図１
2004049863.tif 000002
【特許請求の範囲】
【請求項１】
冷却体の容器は熱伝導率の大きい材質からなり、ストローが貫通する穴を有する、任意の形状体のもので、冷却用ジエルを内蔵するもの。
【発明の詳細な説明】
【０００１】
〔発明の属する技術分野〕
本発明は、ストローを冷却用ジエル容器に、貫通固定させ、コップに注がれた飲料水を保冷するに関する。
〔従来の技術〕
コップ等にて、飲料水を供する場合、冷蔵庫にて適温（５℃〜６℃）に冷却し供していたが、外気温により、飲料水が径時上昇し冷感を失していた。又冷感を持続する為に氷を入れる場合もあるが、径時と共に氷が溶解し、飲料水の濃度が低下し、味を損っていた。
〔課題を解決する為の手段〕
前記課題を解決する為に、冷凍庫でジエル入容器を凍結しておき、飲料水を供する場合、ジエル入容器に、ストローを挿入し、飲料水のはいったコップに入れて供することにより、長時間（約３０分）味を損なう事なく、適温を保つ様にした。
【０００２】
容器は、飲料水に対し、冷却効果を、より良くする為に、熱伝導率の良いガラス、陶器及び金属等を用いる。
【０００３】
ジエル容器の形状は、球型、円筒型、楕円型等が考えられる。
【０００４】
ストローの下部に、ストッパーが設けられており、ストローの上部からジエル入容器を挿入し、ストッパーで、ストローに固定する。
【０００５】
〔発明の実施形態〕
図１は本発明のストローとジエル入容器を組合せた断面図である。
図２はＡ−Ａ′の断面図である。
図３は市販ストローの正面図である。
【０００６】
容器２の材質はガラス、陶器、金属等からなり、形状は、球型、円筒型、楕円等が考えられるが、外圧に対する強度を考えると楕円型が望ましい。
【０００７】
容器内部に保冷材ジエルが充てんされている。
【０００８】
ストローは、陶器、ガラス又は、市販の折曲用ヒダ付のストロー図３が用いられる。ガラスにはジエル入容器を固定するストッパー４が設けられており、挿入したジエル入容器を固定する。
〔発明の効果〕本発明によって以下の効果を奏することが出来る。
【０００９】
従来適温（５℃〜６℃）に冷却した飲料水を供した場合、外気温の為、径時と共に水温が上昇し、冷感によるうま味が失われていた。又氷を入れて冷たくすると、氷が溶解し、濃度が低下して、そのものの味が悪くなっていた。
この発明の如く、ストローの先端に保冷用のジエル入容器を装着することにより、長時間冷感と、そのものの味を楽しめる。特に底部の低温部の飲料水から、吸い上げるので、その効果は大きい。
【００１０】
ストローを用いず、冷却ジエル入容器のみを用いて飲料水を冷やすことも出来、多用性がある。
【図面の簡単な説明】
【図１】本発明の組立縦断面図である。
【図２】本発明の組立横断面図である。
【図３】ストローの正面図である。
【符号の説明】
１．ガラスストロー
２．容器
３．ジエル
４．ストッパー
５．折曲げ用ヒダ
【図１】
2004049863.tif 000003
【図２】
2004049863.tif 000004
【図３】
2004049863.tif 000005
(57)【要約】　　　（修正有）【課題】磨き残し、黄ばみや汚れ、歯垢などを効率良く落とす歯ブラシの毛を提供する。【解決手段】歯ブラシの毛の形状を中間から先端に向かい徐々に細くし、（膨らみのあるテーパー状に）、何ヶ所かの溝（角）をその部分に付ける。毛の側面に溝（角）を付ける事により、毛一本で溝（角）が３〜５あれば、その数の分だけ毛の角が歯に当たり、従来の歯ブラシの何倍も効率よく歯を磨くことができる。さらにこの歯ブラシは毛先が膨らみのあるテーパー状になっている特性を生かし、磨き方の一つとして、押す、そして引く、（押した場合歯の汚れは奥の方に、引いた場合は手前に出され磨きの効果を高める）という磨き方をする事により、歯の側面についた汚れ、黄ばみ、歯垢も除去できる。【選択図】　図３
2004049840.tif 000002
【特許請求の範囲】
【請求項１】
歯ブラシの毛の先端部テーパー状（膨らみのあるテーパー部）のところに、その部分に溝を何ヶ所も付ける事により、溝の角を何ヶ所も使う事による歯ブラシの効率良い磨き効果と、磨きにくかったところに対しても磨ける歯ブラシの毛。
【発明の詳細な説明】
【０００１】
【発明の属する技術分野】
この発明は、歯ブラシの毛に溝を何ヶ所か設ける事による歯磨き効率を高めること（溝の角を使う）、毛先を膨らみのあるテーパー状にすることにより、歯と歯の間の部分に対しても磨き効率を高められる。歯ブラシの毛に関するものである。
【０００２】
【従来の技術】
従来の歯ブラシの毛は、歯ブラシの毛先を歯の表面に垂直に当て、横もしくは立て、或いは回転させる等して、歯の表面を磨くという方法とっています。
歯ブラシの毛先が曲がって来た場合は、効率は大変悪くなって、新しいものに交換する。磨き効率の悪さと、磨きにくいところに、歯ブラシの毛先が届かないため、歯の汚れや歯垢といったものが取れにくい状況である。
【０００３】
【発明が解決しようとする課題】
これは次のような欠点があった。
イ　歯ブラシの毛の先が当たるところだけが磨かれるが効率が良くない。
ロ　歯と歯の間が磨き難い。（奥歯に近い歯の黄色い人が多い）歯垢が取れていない。
ハ　歯ブラシの毛先が曲がって来たら交換するなど。効率が悪い。
本発明は、以上の欠点を解決するためになされたものである。
【０００４】
【課題を解決するための手段】
歯ブラシの毛の先端に向かい、膨らみのあるテーパー状に細くし、その部分に溝を何ヶ所か設ける（この溝の角の部分を使う）。このような毛を歯ブラシの毛の一本とする。それらを何本かずつ束ねて歯ブラシを構成する。
【０００５】
【発明の実施の形態】
以下、本発明の実施の形態を説明する
イ　歯ブラシの毛を先端部に向かい膨らみのあるテーパー状にする。
ロ　テーパー状のところに溝を何ヶ所か付ける。（溝の外側の角が重要）
ハ　そのような毛を束ねて歯ブラシを構成する。
【０００６】
【発明の効果】
本発明を使用する事によって、歯磨きの効率と歯の汚れや歯垢が取れる。これまで特に汚れ（黄ばみ）がとれ難かった、歯と歯の側面に対しても歯ブラシの毛が効率良く磨くためきれいになる。
【図面の簡単な説明】
【図１】本発明の斜視図である。
【図２】本発明の重要な溝（角）の拡大図である。
【図３】本発明の使用状態を示す斜視図である。
【図１】
2004049840.tif 000003
【図２】
2004049840.tif 000004
【図３】
2004049840.tif 000005
(57)【要約】【課題】襟口の広い衣服及びカーデガンなどの前開きの衣服が、ハンガーからずれ落ちるのを防止して干せるハンガーを提供する。【解決の手段】ハンガー本体（１）と、このハンガー本体（１）に掛けられた衣服等のずれ落ちを防止できるように形成された挟持具（４）と、この挟持具（４）は、前記ハンガー本体（１）とひも状部材（３）を介して連結してなることを特徴とする。【選択図】　図１
2004049831.tif 000002
【特許請求の範囲】
【請求項１】
ハンガー本体（１）と、このハンガー本体（１）に掛けられた衣服等のずれ落ちを防止できるように形成された挟持具（４）と、この挟持具（４）は、前記ハンガー本体（１）とひも状部材（３）を介して連結してなることを特徴とするハンガー。
【発明の詳細な説明】
【０００１】
【発明の属する技術分野】
この発明は、襟口の広い衣服およびカーデガンなどの前あきの衣服が、ハンガーからずれ落ちるのを防止して干せるハンガーに関するものである。
【０００２】
【従来の技術】
従来、ハンガーからずれ落ちてしまうような衣服は、ハンガーに掛けて洗濯バサミで止めていた。
【０００３】
【発明が解決しようとする課題】
これは、次のような欠点があった。
（イ）　襟口の広い衣服や前あきの衣服は、ハンガーに掛けて、洗濯バサミで止めるのが、大変困難であり面倒であった。
（ロ）　ハンガーに衣服を掛ける作業中、洗濯バサミでうまく止められず落下してしまったり、また、作業時には、別途洗濯バサミを用意する必要があるなど、大変わずらわしかった。
本発明は、これらの欠点を解決するために、発明されたものである。
【０００４】
【課題を解決するための手段】
ハンガー本体（１）と、このハンガー本体（１）に掛けられた衣服等のずれ落ちを防止できるように形成された挟持具（４）からなる。
そして、この挟持具（４）は、前記ハンガー本体（１）とひも状部材（３）を介して連結している。
本発明は、以上のような構成よりなるハンガーである。
【０００５】
【発明の実施の形態】
以下、本発明の実施例について説明する。
（イ）　ハンガー本体（１）のフックの根元に、とりつけ穴（２）を設け、そこに柔らかいひも状部材（３）を通す。
（ロ）　そのひも状部材（３）の両端に挟持具（４）をとりつける。
（ハ）　ひも状部材（３）は、とりつけ穴（２）により、その両端の挟持具がストッパーとなり、その範囲内で移動が可能である。
本発明は、以上のような構造で、これを使用するときは、このハンガーだけで、襟口の広い衣服や前あきの衣服が簡単に次のように干せる。
片手に衣服を持ち、もう片手にハンガーを持ち、一方の衣服の肩のところをハンガーに軽く掛ける。そしてとりつけである挟持具で、衣服を内側からはさんで止め、固定させてからもう片方の衣服の肩のところを反対側のハンガーの肩に掛けて、残りの挟持具で内側からはさんで止める。最後に、衣服を整えて吊す。
【０００６】
【発明の効果】
これを使用することにより、襟口の広い衣服や前あきの衣服が楽に干せ、下に落ちて汚れる心配がなくなる。また、ハンガーに挟持具がとりつけてあるので、別途、用意する手間もなく、素早く干せるので、毎日の洗濯物干し時間が短縮される。
【図面の簡単な説明】
【図１】本発明の斜視図
【図２】本発明の分解斜視図
【図３】本発明の使用状態を示す斜視図
【符号の説明】
１　ハンガー本体
２　とりつけ穴
３　ひも状部材
４　挟持具
【図１】
2004049831.tif 000003
【図２】
2004049831.tif 000004
【図３】
2004049831.tif 000005
(57)【要約】　　　（修正有）【課題】室内で外出用の履物を脱いで作業をし、屋外に材料や道具を取りに出る際、靴を履き替えるが、靴のかかとを踏まないように、靴へらを使用するか腰を曲げて靴のかかとを手で押さえて靴を履かないと靴のかかとをつぶしてしまう。【解決手段】靴の中敷きを下底２と浮き底１の２枚に分け、靴のかかとの部分で、この下底と浮き底を水平にしたり、傾斜させたり、浮き底の角度を変えることができる支え板４で連結し、支え板を横に倒すと普通の中敷になり、浮き底のかかとに付いているつまみ６を引くことにより、支え板を立てに起こすと浮き底の先端が、止め溝３に入り浮き底板を傾斜させて、丁度、女性が履くハイヒール靴のようにかかとが上がり、靴のかかとをふまずに歩行できる。靴を普通に履く場合は、支え板を横に倒し、浮き底板を下底に収納して上面を平坦にすれば、普通の靴の中敷きとして歩行できる。【選択図】　　　　図５
2004049833.tif 000002
【特許請求の範囲】
【請求項１】
靴の中敷板を下底２と浮き底１の２枚に分け、浮き底１のかかとと接触する部分に支え板４を設け、この支え板４の両端を浮き底１と下底２に連結し、下底２には、浮き底１を下底２と一体にしたとき、同一平面にするためのくぼみ７と浮き底１を傾斜したときに、浮き底１の先端を固定する止め溝３を形成し、支え板４を横に倒したり、縦に立てたりすることにより、浮き底１の高さを変えることが出来る靴の浮き底敷板。
【発明の詳細な説明】
【０００１】
【産業上の利用分野】
一般には、靴を履いて作業をしているが、住んでいる住宅内の作業では、靴を履いたり脱いだりするので、わずらわしくなり、靴のかかとを踏んでしまう。そこで、靴のかかとをつぶさないように、靴の中敷板を浮かせて靴を履けるようにする。
【０００２】
【従来の技術】
靴を履く場合、靴の底にはマットや脱臭剤入りの靴の中敷板を敷いて、靴へらを使い靴を履いている。靴のかかとをつぶさないようにするために、中敷板を浮かせる靴の中の浮き底敷き板は、市場には見あたらない。
【０００３】
【発明が解決しようとする課題】
人が住んでいる住宅の中で作業をする場合、材料や道具をとりに屋外に度々出なければならない。外に出るのに靴を履くが、その際、腰を曲げて指や靴へらで靴のかかとを踏まないように履かなければならない。
【０００４】
【課題を解決するための手段】
靴をはく際、靴のかかとを踏まないためにするには、靴を履いたとき、足のかかとを上げれば良いのである。そこで、中敷板のかかとの部分を浮かせて女性が履くハイヒールのようにする。
靴の中敷板を下底２と浮き底１に分け、この２枚のかかとが乗る部分を支え板４で連結する。この支え板４の両端は、曲がり易くするため、薄くして接続曲がり５を浮き底１と下底２に連結させて、容易に立てたり横にしたりできる。支え板４を立てることにより浮き底１のかかと部分が上がるようにする。浮き底１を浮かせ易いように、つまみ６を浮き底１のかかとに取り付ける。支え板４を垂直に立てると、浮き底１のかかと部分が上がり傾斜するが、元の水平面に戻らないように、止め溝３を付ける。通常、靴を履くときは、浮き底１と下底２が平坦になるように、収納窪み７を付ける。なお、支え板４は、体重がかかるので、強度を出すために、両端を足の丸みに合わせて曲げる。
【０００５】
【実施例】
靴の底に敷いてある靴の浮き底１のつまみ６を靴のかかとの方に引くと支え板４が起き、浮き底１のかかとの部分が上部に傾斜し、浮き底１の先端が、止め溝３に入り、浮き底１は、ハイヒールのようにかかと部分が上がり靴のかかとを踏むことなく、靴を履いて歩行できる。　普通に歩くときは、浮き底１の先端を止め溝３から外し、支え板４を横に倒すと平坦な１枚の靴の中敷板となる。
【０００６】
【発明の効果】
屋内での作業中、建物の床から外に出る際、腰を曲げて靴のかかとを踏まないように靴を履くのであるが、サンダルを履く動作で、靴のかかとを踏むことなく歩くことができる。
【図面の簡単な説明】
【図１】この発明のＡ−Ａ‘の断面図である。
【図２】この発明の図１の浮き底を浮かした場合の断面図である。
【図３】この発明の支え板を倒し、浮き底を平坦にした平面図である。
【図４】この発の支え板を立てたときの背面図である。
【図５】この発明の支え板を立てたときの斜面図である。
【図６】この発明の下底と支え板の接続部分の断面図である。
【符号の説明】
１　　　　浮き底
２　　　　下底
３　　　　止め溝
４　　　　支え板
５　　　　接続曲がり
６　　　　つまみ
７　　　　収納窪み
【図１】
2004049833.tif 000003
【図２】
2004049833.tif 000004
【図３】
2004049833.tif 000005
【図４】
2004049833.tif 000006
【図５】
2004049833.tif 000007
【図６】
2004049833.tif 000008
(57)【要約】【課題】靴を脱いだり履いたりする時に、立ったままで腰を屈めたり、膝を曲げたりすることなく、また、両手を使わず、片手で靴ベラを持ち、靴ベラに設けた裾上げ当接部をスラックスの裾に当て、靴ベラを引き上げる動作で裾が上がり、その状態で靴に靴ベラを挿入し、靴の脱ぎ履きができる裾上げ機能付ロング靴ベラを得る。【解決手段】任意形状となる長棒の下端にヘラ部を形成し、そのヘラ部に近接して弾粘性の円筒状の裾上げ当接部を設け、長棒の上端に任意形状である装飾握り手部を設けた。【選択図】　　図１
2004049835.tif 000002
【特許請求の範囲】
【請求項１】
任意形状となる長棒の下端にヘラ部を形成し、そのヘラ部に近接して弾粘性の円筒状の裾上げ当接部を設け、長棒の上端に任意形状である装飾握り手部を設けたことを特徴とする裾上げ機能付ロング靴ベラ。
【請求項２】
前記裾上げ当接部の形状において、台形裾上げ当接部を形成している請求項１記載の裾上げ機能付ロング靴ベラ。
【請求項３】
前記裾上げ当接部の形状において、蒲鉾状裾上げ当接部を形成している請求項１記載の裾上げ機能付ロング靴ベラ。
【請求項４】
前記裾上げ当接部の形状において、ヘラ部の後部である両側面より上方に突起した突起棒を取り付け、その先端に球体裾上げ当接部を設けている請求項１記載の裾上げ機能付ロング靴ベラ。
【発明の詳細な説明】
【０００１】
【発明の属する技術分野】
本発明は、身障者及び老人介護等、そして健常者においても、立ったまま靴の脱ぎ履きに有用な裾上げ機能付ロング靴ベラに関する。
【０００２】
【従来の技術】
従来、靴ベラに関しては、同じように長くしたもので、パイプ式で伸縮するものがあった。
【０００３】
【発明が解決しようとする課題】
従来から靴を脱いだり履いたりすることは健常者でも面倒なもので、特に身体の不自由な方が靴を脱ぎ履きすることにおいて、腰を屈めたり、膝を曲げたり出来ないことや、また両手が使えない状態もあり、大きな苦痛を感じていた。
【０００４】
本発明は、靴を脱いだり履いたりする時に、立ったままで、腰を屈めたり、膝を曲げたりすることなく、また、両手を使わず、片手で靴ベラを持ち、靴ベラに設けた裾上げ当接部をスラックスの裾に当て、靴ベラを引き上げる動作で裾が上がり、その状態で靴に靴ベラを挿入して靴の脱ぎ履きができる裾上げ機能付ロング靴ベラを提供することを目的としている。
【０００５】
【課題を解決するための手段】
任意形状となる長棒の下端にヘラ部を形成し、そのヘラ部に近接して弾粘性の円筒状の裾上げ当接部を設け、長棒の上端に任意形状である装飾握り手部を設けた手段を講ずる。
【０００６】
また、裾上げ当接部の形状において、台形裾上げ当接部を形成してもよい。
【０００７】
また、裾上げ当接部の形状において、蒲鉾状裾上げ当接部を形成しても好ましい。
【０００８】
さらに、裾上げ当接部の形状において、ヘラ部の後部である両側面より上方に突起した突起棒を取り付け、その先端に球体裾上げ当接部を設けてもよい。
【０００９】
【発明の実施の形態】
本発明を以下図面に基づいて説明する。
図１で示す実施例では、任意形状となる長棒１の下端にヘラ部２を形成し、そのヘラ部２に近接して円筒状で弾粘性あるゴム３を取り付けた裾上げ当接部４を設け、長棒１の上端に任意形状である装飾握り手部５を設けている。
【００１０】
また、図２で示す実施例では、前記裾上げ当接部４の形状において、台形のゴム３を取り付けた台形裾上げ当接部６を形成している。
【００１１】
また、図３で示す実施例では、裾上げ当接部の形状において、蒲鉾状裾上げ当接部７を形成している。
【００１２】
また、図４で示す実施例では、裾上げ当接部４の形状において、ヘラ部２の後部である両側面より上方に突起した突起棒８を取り付け、その先端に球体当接部９を設けている。
【００１３】
上記のように構成された裾上げ機能付ロング靴ベラの使用には、片手で本発明の靴ベラを持ち、靴ベラに設けた裾上げ当接部をスラックスの裾に当て、靴ベラを引き上げる動作すると、裾上げ当接部がスラックスの裾に当接して状態で裾が上がり、その状態で靴に靴ベラを挿入して靴の脱ぎ履きができるものである。
【００１４】
【発明の効果】
本発明では、靴の脱ぎ履きにおいて、腰を屈めたり、膝を曲げたり、また両手を使わないといけない面倒さがあったが、立ったまま片手でスラックスの裾を上げ、そのまま靴に挿入するだけでの動作で靴が脱げたり履けたりするので、特に身体の不自由な方には一人でも靴の脱ぎ履きができるようになる。
【図面の簡単な説明】
【図１】本発明の実施例を示す斜視図である。
【図２】本発明の第２実施例を示す斜視図である。
【図３】本発明の第２実施例を示す斜視図である。
【図４】本発明の第２実施例を示す斜視図である。
【符号の説明】
１　長棒
２　ヘラ部
３　ゴム
４　裾上げ当接部
５　装飾握り手部
６　台形裾上げ当接部
７　蒲鉾状裾上げ当接部
８　突起棒
９　球体裾上げ当接部
【図１】
2004049835.tif 000003
【図２】
2004049835.tif 000004
【図３】
2004049835.tif 000005
【図４】
2004049835.tif 000006
(57)【要約】　　　（修正有）【課題】パチンコ台などの遊技盤全体の見通しを妨げるガラス表面及びガラス周辺部における結露の発生を抑える結露対策用ガラス及び遊技機を提供する。【解決手段】パチンコ機（１）の前面に遊技盤（２）を覆う形で設けられた開閉するガラス枠（３）に取り付けた前面ガラス（４）と遊技盤側ガラス（５）のガラス面端部に吸湿剤及び乾燥剤（６）をスペンサー（７）等に緊合させ一部および全体に内設させ結露の発生を抑える。【選択図】図２
2004049834.tif 000002
【特許請求の範囲】
【請求項１】
パチンコ機（１）の前面に遊技盤（２）を覆う形ガラス枠（３）に取り付けた前面ガラス（４）と遊技盤側ガラス（５）のガラス面端部に吸湿剤、乾燥剤（６）等の湿気を吸収する効果を有する薬剤および材質をスペンサー（７）に緊合またはガラス枠材として一部もしくは全体に内設させることにより結露の発生を抑える。
【発明の詳細な説明】
【０００１】
【発明の属する技術分野】
この発明は、遊技機に使用するガラスおよび遊技機に関する。
【０００２】
従来の遊技機および遊技機用のガラスは結露に対する対策は施されていなかった。
【０００３】
【発明が解決しようとする課題】
しかしながら、結露に対する対策が従来技術では施されて無いが、近年遊技場の大型化による夏場の空調設備の冷房の強化と遊技機自体の役物、ランプ等の発熱により遊技場内の温度と盤面表面との温度差が生じ結露を発生させる要因となっている。
この結露に埃等が付着し遊技機ガラスを汚し遊技者の長時間遊技に悪影響をおよぼすばかりでなく、遊技盤上の遊技球位置の確認の妨げとなりかねずガラスの清掃等の遊技場の作業を増やす一因となっている。
【０００４】
【問題を解決するための手段】
パチンコ機（１）の前面に遊技盤（２）を覆う形で設けられた、開閉するガラス枠（３）に取り付けた前面ガラス（４）と遊技盤側ガラス（５）のガラス面端部に吸湿材、乾燥剤（６）等の湿気を吸収する効果を有する薬剤および材質をスペンサー（７）に緊合またはガラス枠材として一部もしくは全体に内設させることにより結露の発生を抑える。
【０００５】
【発明の実施の形態】
この発明の実施形態を、図１、図２に示す。
図１は遊技機正面図であり図２は図１のＡ−Ａ′線断面図である。
パチンコ機（１）の前面に遊技盤（２）を覆う形で設けられた、開閉するガラス枠（３）に取り付けた前面ガラス（４）と遊技盤側ガラス（５）のガラス面端部に吸湿剤、乾燥剤（６）等の湿気を吸収する効果を有する薬剤および材質をスペンサー（７）に緊合またはガラス枠材として一部もしくは全体に内設させることにより結露の発生の原因となる湿気を吸収させ水滴の発生を抑える。
また前面ガラス（４）および盤面側ガラス（５）をガラス固定枠（８）にて固定し内部を密封することにより湿気を含んだ新たな空気や水滴に付着し汚れの原因となる埃の侵入も防ぐことが出来る。
尚、前面ガラス（４）、盤面側ガラス（５）、吸湿剤、乾燥剤（６）、ガラス固定枠（８）により形成される空間に乾燥空気を使用することにより効果がさらに期待出来ることは言うまでも無い。
【０００６】
「実施形態の効果」
前面ガラスと盤面側ガラスの端部に、吸湿剤、乾燥剤を内設させるかガラス固定枠に吸湿効果をもつ材質を用い内部の空気を除湿することにより水滴の発生を抑え結露による前面ガラス、盤面ガラスによって構成される内部ガラス表面の汚れを防止することができる。
【０００７】
「他の実施形態」
図２の実施形態では、ガラス端部の固定に枠を使用してあるがスペンサーに強度のある材質を使用することにより封着剤を使用して内部空気を固定しても同様の効果は得られる。
【０００８】
【発明の効果】
以上説明したように、この発明によれば遊技機ガラスの清掃を行いずらい前面ガラスの盤面側表面および盤面側ガラスの前面側表面の結露による汚れを防ぐことが出来る。
【０００９】
また、上記ガラス面に特殊金属膜、コーテング等加工を施した場合は性能維持（劣化）に効果を発揮する。
【図面の簡単な説明】
【図１】この発明の一実施形態を示す正面図である。
【図２】図１のＡ−Ａ′線断面略図である。
【符号の説明】
１　パチンコ機
２　遊技盤
３　ガラス枠
４　前面ガラス
５　盤面側ガラス
６　吸湿剤、乾燥剤
７　スペンサー
８　ガラス固定枠
【図１】
2004049834.tif 000003
【図２】
2004049834.tif 000004